(57)【要約】      （修正有）【課題】衣類の裾や袖を、たくし上げたり、衣類の所定位置に取り付けることにより、裾や袖を汚れから守るとともに、同時に夜の危険防止に役立つ衣類取付治具を提供する。【解決手段】衣類所定位置に取り付けるための帯状体２からなる衣類取付治具１であって、該取付治具１は帯状体２と係止手段３と目視向上手段とからなり、該帯状体２の所定位置に衣類を固定するための一対の係止手段３と目視向上手段を設ける。前記係止手段３は磁石３ａであり、前記目視向上手段は蛍光染料部である。係る構成によれば、ワンタッチでたくし上げた衣類の袖や裾を簡単に係止でき、かつ夜間での目視性向上の効果がある。【選択図】図２
0003172540.tif 000002
【実用新案登録請求の範囲】
【請求項１】
衣類所定位置に取り付けるための帯状体２からなる衣類取付治具１であって、該取付治具１は帯状体２と係止手段３と目視向上手段８とからなり、該帯状体２の所定位置に衣類を固定するための一対の係止手段３と目視向上手段８が設けられていることを特徴とする衣類取付治具。  
【請求項２】
前記係止手段３が磁石3ａであることを特徴とする請求項１記載の衣類取付治具。
【請求項３】
前記目視向上手段８が蛍光染料部８ａ、及び又は、蛍光塗料部８ｂであることを特徴とする請求項１または請求項２記載の衣類取付治具。                                                                                                                                                                                                                                                                                                                                                                                                      
【考案の詳細な説明】
【技術分野】
【０００１】
本考案は衣類の裾や袖を、たくし上げたり、衣類の所定位置に取り付けることにより、裾や袖を汚れから守るとともに、同時に夜の危険防止に役立つ衣類取付治具に関するものである。
【背景技術】
【０００２】
裾を汚れから守るための治具は、ズボンをたくし上げるゴムバンド、洗濯はさみのついた紐は古来よりよく知られている。また、夜の危険防止用のため、靴、警備用の服、自転車、アームバンドなどに、蛍光染料や蛍光塗料を塗ったものは良く知られている。
【先行技術文献】
【特許文献】
【０００３】
【特許文献１】実用新案登録第３１１２９６６号
【考案の概要】
【考案が解決しようとする課題】
【０００４】
しかしながら、上記、実用新案登録第３１１２９６６号は止め具がクリップのため、布地を傷める。また帯状体も布、プラスチック、金属を使用するため、同じく布を傷める欠点がある。また、裾を汚れから守るためのゴムバンド、洗濯はさみの付いた紐は伸びやすい欠点がある。生地を傷つける欠点もある。また、夜の危険防止用のための靴、警備用の服、自転車、アームバンドは使用する場所が限定され、上記ゴムバンド等は取り付け位置の自由度が制限されている。本考案は、衣類のたくし上げのための取付治具であり、衣類の裾、袖を汚れから守る汚れ防止のための取付治具であって、取り付け位置が制限されることなく自由で、しかも、夜間における目視性が良好な衣類の汚れ防止のための衣類取付治具を提供することを目的とする。
【課題を解決するための手段】
【０００５】
本考案の請求項１は、衣類所定位置に取り付けるための帯状体２からなる衣類取付治具１であって、該取付治具１は帯状体２と係止手段３と目視向上手段８とからなり、該帯状体２の所定位置に衣類を固定するための一対の係止手段３と目視向上手段８が設けられていることを特徴とする。係る構成によれば、たくし上げた衣類の袖９ａや裾９ｂを保持することが可能で、しかも夜間の目視性が向上する。
【０００６】
本考案の請求項２は、前記係止手段３が磁石３ａであることを特徴とする。係る構成によれば、ワンタッチで衣類の袖９ａや裾９ｂを極めて簡単に係止し保持可能とする効果がある。
【０００７】
本考案の請求項３は、前記目視向上手段８が蛍光染料部８ａ、及び又は、蛍光塗料部８ｂであることを特徴とする。係る構成によれば、夜間での目視性向上の効果がある。    
【考案の効果】
【０００８】
本考案によれば、衣類取付治具１の帯状体２で、衣類をたくし上げることにより、床掃除、自動車の洗車などの作業中に衣類が落下し衣類を汚すことはない。また、雨の日も衣類をたくし上げることで快適に歩くことができる。また、たくしあげた衣類端部９の袖９ａや裾９ｂをワンタッチで係止し、しかも保持できる。帯状体２に蛍光染料部８ａ、及び又は、蛍光塗料部８ｂを設け、夜間の反射板用に衣類の袖９ａ、裾９ｂ、バックなど、各所に取り付ける事により、夜の外出時、危険防止に役立つ。子供、女性用には装飾を兼ねて夜間の反射板用に衣類の袖９ａ、裾９ｂ、バック等に気軽につけることができる利点がある。  
【図面の簡単な説明】
【０００９】
【図１】図１は衣類取付治具の正面図。
【図２】図２は衣類取付治具の実施形態を示す説明図。
【図３】図３は衣類取付治具の他の実施形態を示す説明図。
【図４】図４は衣類取付止治具の他の実施形態を示す説明図で、蛍光染料部８ａ、蛍光塗料部８ｂを設けた例を示す。
【考案を実施するための形態】
【００１０】
本考案の詳細を以下図面に従って詳しく述べる。本考案の衣類端部９をたくし上げるための取付治具１は、図１に示すように、衣類所定位置に取り付けるための帯状体２からなる衣類取付治具１であって、該取付治具１は帯状体２と係止手段３と目視向上手段８とからなり、該帯状体２の所定位置に衣類を固定するための一対の係止手段３と、目視向上手段８が設けられていることを特徴とするものである。係る構成によれば、たくし上げた衣類の袖９ａや裾９ｂを保持することが可能で、しかも、夜間の目視性が向上する。該係止手段３は、例えば、磁石３ａなどが好適である。帯状体２の両端より略１ｃｍ程度を磁石３ａの取付位置４とすると好適である。しかし、この寸法に限定されるものではない。帯状体２の所定位置に目視向上手段８が設けられている。該目視向上手段８は、蛍光染料部８ａ、及び又は、蛍光塗料部８ｂが好適である。磁石３ａは、しっかりと固定するのが望ましい。
【００１１】
図２に示すようにズボン６の衣類端部９の裾９ｂを衣類取付治具１で、たくし上げた状態を以下図面に従って詳しく述べる。帯状体２に設けられた一対からなる係止手段３の片方側の係止手段３である磁石３ａを手で持ち、ズボン６の衣類端部９の裾９ｂを、たくし上げながら、衣類の裏面よりズボン６の膝下に入れる。帯状体２の他方側の係止手段３である磁石３ａを表面から磁石３ａどうしを係止固定させる。ズボン６の衣類端部９の裾９ｂを膝下あたりまで、たくし上げ挟持した実施例である。                                
【００１２】
図３に示すように洋服７の衣類端部９の袖９ａを衣類取付治具１で、たくし上げた状態を以下図面にしたがつて詳しく述べる。帯状体２の一対からなる係止手段３の片方側の係止手段３である磁石３ａを手で持ち、洋服７の袖９ａをたくし上げながら入れる。衣類の裏面より洋服７の袖９ａの内側に入れる。帯状体２の他方側の係止手段３である磁石３ａを表面から、磁石３ａどうしを係止固定させる。洋服７の衣類端部９の袖９ａを必要に応じて、たくし上げた実施例である。      
【００１３】
図４に示すように、係止手段３を磁石３ａとした帯状体２に、目視向上手段８が設けられている。目視向上手段８は、蛍光染料部８ａ、蛍光塗料部８ｂが好適であり、これらを設け、帯状体２の中央折り曲げ位置５で、帯状体２を二つ折りにして、衣類の表面と裏面から衣類端部９を侠持する。夜間の光に反射するよう洋服７の袖８ａ、洋服７の裾９ｂに、衣類取付治具１を取り付けた実施例である。                       
【００１４】
衣類取付治具１を使用する際、下記の手順で行うと好適である。
１）帯状体２の一対からなる係止手段３の一方を含む片方側と係止手段３の他の一方を含む他方側を衣類の表面と裏面から衣類端部９を侠持する。        
２）必要に応じて衣類端部９をたくし上げる。    
３）一対からなる係止手段３どうしを係止固定する。
上記手順で衣類取付治具１を使用する。
【００１５】
以下にさらに詳しく述べる。図１に示すように、帯状体２の係止手段３である磁石３ａの取り付ける位置を帯状体２の端部より、例えば、略１ｃｍ程度にする事が好適である。これにより、帯状体２が、指先の持ち手になり、係止手段３どうしである磁石３ａをはずすことが容易に出来る。また係止手段３が磁石３ａなので、取付、取り外しがワンタッチで極めて簡単にできる。
【００１６】
また、図２に示すように衣類端部９をたくし上げておくことにより、トイレ使用時、雨の日、床掃除、自動車の洗車などの時衣類端部９が床面に接すことなく汚れを防げる。衣類端部９が薄い布地の物、幅広のズボン６等はとくにトイレ使用時ずり落ち易いので汚れ防止のため衣類取付治具１を用いると好適である。                                    
【００１７】
雨の日、水を使用する作業時など、衣類端部９の袖９ａ、裾９ｂを、手でたくし上げる必要がある作業を行うときには、手でたくし上げることなく、衣類取付治具１を使用する事により、汚れを防ぐと同時に両手が自由に使えて作業がはかどる利点が生まれる。      
【００１８】
帯状体２の表面に、目視向上手段８が設けられている。目視向上手段８は、蛍光染料、蛍塗料が好適であり、これらが塗布されている。蛍光染料部８ａ、蛍光塗料部８ｂが設けられているので、夜の外出の時、衣類に取り付けたり、バック、リュックサックなど、身の回りのものに取り付けることにより、帯状体２の表面が反射板の役目をして夜間の目視効果が向上し、危険防止に役にたつ。これら全てがアクセサリー感覚で、ただ身の回りに着けるだけで、危険から身を守る効果がある。
【００１９】
係止手段３が磁石３ａなので、帯状体２の取り付け場所が限定されることなく、自由に装着が簡単にできる。また、帯状体２は形も色も使い勝手により使い分けが出来る。女性にはアクセサリーとしてお洒落なものを取り付け楽しむことが出来る。子でもにはアニメ、キャラクターなど可愛いものを取り付ければ楽しむことが出来る。作業用の衣類取付治具１の帯状体２はシンプルなものが望ましい。
【００２０】
使用後の帯状体２の保管は帯状体２を二つ折りにしてバック、ベルトなどに挟んで置けば、かさばる事無く、美的にも良いアクセサリーとなる。また、家での帯状体２の保管場所としては、磁石３と蛍光染料、蛍光塗料が帯状体２に付着しているので、ドアノブ、カーテンなどの場所は、目視効果をあげ、好適である。磁石３ａを利用しての帯状体２の保管場所としては冷蔵庫などに貼り付け、掲示板代わりに使用することも出来る。必要なときに取り出し使用できる優れものである。                                      
【符号の説明】
【００２１】
１      衣類取付時具
２      帯状体
３      係止手段
３ａ    磁石
４      磁石の付け位置
５      中央折り曲げ位置                                                        ６      ズボン                                                                  ７      洋服                                                                    ８      目視向上手段
８ａ    蛍光染料部
８ｂ    蛍光塗料部          
９      衣類端部                                                                ９ａ    袖                                                                      ９ｂ    裾                                                                                                                        
【図１】
0003172540.tif 000003
【図２】
0003172540.tif 000004
【図３】
0003172540.tif 000005
【図４】
0003172540.tif 000006